(57)【要約】【課題】本発明の課題は、機械組において、挿入部に弾性体を配設し易い、ボールペンのキャップを、簡単な構造で提供することである。【解決手段】本発明は、キャップ本体の先端部内に、ボールを回転自在に抱持したボールペンチップのチップ先端部を密閉する弾性体を配設する挿入部を形成してなるボールペンのキャップにおいて、前記キャップ本体に、クリップを一体に形成するとともに、前記挿入部の軸心が、前記クリップを含むキャップ本体の横断面での外接円の略中心に位置することを特徴とする。【選択図】        図１
2010125643.tif 000002
【特許請求の範囲】
【請求項１】
キャップ本体の先端部内に、ボールを回転自在に抱持したボールペンチップのチップ先端部を密閉する弾性体を配設する挿入部を形成してなるボールペンのキャップにおいて、前記キャップ本体に、クリップを一体に形成するとともに、前記挿入部の軸心が、前記クリップを含むキャップ本体の横断面での外接円の略中心に位置することを特徴とするボールペンのキャップ。
【請求項２】
前記挿入部の内径を前記弾性体の径より径大とし、前記挿入部のキャップ後端開口部側に、前記弾性体の抜け落ちを防止するための突部を形成し、前記挿入部に弾性体を回転自在に遊嵌することを特徴とする請求項１に記載のボールペンのキャップ。
【発明の詳細な説明】
【技術分野】
【０００１】
本発明は、筒状のキャップ本体の先端部内に、ボールを回転自在に抱持したボールペンチップのチップ先端部を密閉する弾性体を配設する挿入部を形成してなるボールペンのキャップに関する。
【背景技術】
【０００２】
従来から、インキ収容筒や軸筒の内部に低粘度の水性インキや剪断減粘性を付与したインキを直詰めにしたボールペンでは、軸筒にキャップを装着した状態でも、内圧の上昇やチップ先端部を下向きにしておくとチップ先端部からインキが漏れてしまう。そのため、キャップの内孔にゴム等からなる弾性体を配設し、キャップを装着した際に、チップ先端部を弾性体に圧接し、弾性体を圧縮変形させてチップ先端部を密封することにより、前記インキ漏れを防止するボールペンのキャップは知られている。
【０００３】
こうしたボールペンのキャップとしては、特開平１０−８９３号公報「水性インキ内蔵ボールペン」で開示してあるように、クリップを一体に設けた筒状のキャップ本体の先端部内に設けた挿入部に、ボールを回転自在に抱持したボールペンチップのチップ先端部を密閉する弾性体を配設してあるものや、特開２００３−２５７８９号公報「ボールペン用キャップ」等で開示されているように、筒状のキャップ本体に、クリップを一体に設けた頭冠を装着し、この頭冠内に設けた挿入部に弾性体を配設して構造が知られている。
【特許文献１】「特開平１０−８９３号公報」
【特許文献２】「特開２００３−２５７８９号公報」
【発明の開示】
【発明が解決しようとする課題】
【０００４】
ところで、ボールペンのキャップは、特に低価格品においては、弾性体をキャップ本体の挿入部に配設する工程を自動機で行うことが好ましく、組立において方向性のない球状の弾性体を用いることも行われている。
【０００５】
しかし、特許文献１や２のように、従来のボールペンのキャップにおいては、キャップ本体の軸心と挿入部の軸心が同一となっているため、クリップを含むキャップ全体を保持すると、クリップを含むキャップ全体の軸心と、挿入部の軸心がずれているため、クリップの向きを一定にした後、キャップ本体を保持して弾性体を挿入しているのが現実である。
【０００６】
本発明は上記問題を鑑み、機械組において、挿入部に弾性体を配設し易い、ボールペンのキャップを、簡単な構造で提供するものである。
【課題を解決するための手段】
【０００７】
前記目的を達成するために本発明では、キャップ本体の先端部内に、ボールを回転自在に抱持したボールペンチップのチップ先端部を密閉する弾性体を配設する挿入部を形成してなるボールペンのキャップにおいて、前記キャップ本体に、クリップを一体に形成するとともに、前記挿入部の軸心が、前記クリップを含むキャップ本体の横断面での外接円の略中心に位置することを特徴とする。
【０００８】
また、前記挿入部の内径を前記弾性体の径より径大とし、前記挿入部のキャップ後端開口部側に、前記弾性体の抜け落ちを防止するための突部を形成し、前記挿入部に弾性体を回転自在に遊嵌することを特徴とする。
【発明の効果】
【０００９】
本発明は、前述した構成なので、機械組において、挿入部に弾性体を配設し易い、ボールペンのキャップを、簡単な構造で提供することができた。
【発明を実施するための最良の形態】
【００１０】
以下、図面を参照して本発明の実施の形態を説明する。尚、図面中同じ部材、同じ部品については同じ番号を付してある。
【００１１】
図１〜図３に示す、第１の実施の形態におけるボールペンのキャップ１は、キャップ本体２の先端部２ａの内孔に、リブ３を４本形成して、リブ３の内接空間からなる挿入部４を形成してある。キャップ本体２の先端部には、クリップ５を一体に形成してある。
【００１２】
キャップ本体２の先端部２ａに設けた挿入部４の内径は、弾性体６の外形より小さくしてあるため、弾性体６は、挿入部４に、抜け落ちすることなく圧入装着されている。また、挿入部４の軸心ｊ１は、キャップ本体２の軸心Ｊ１に対して偏心した位置するとともに、挿入部の軸心ｊが、クリップ５を含むキャップ１の横断面での外接円Ｒ１の略中心に位置するようにしてある。
【００１３】
前記作製したボールペンのキャップ１を、ボールを回転自在に抱持したボールペンチップ９を有する軸筒８に装着すると、キャップ本体２内孔の嵌合凸部２ｂと軸筒８外周面の被嵌合凸部８ａが当接時に、ボールペンチップ９の先端部が弾性体７に接触し、嵌合凸部２ｂと被嵌合凸部８ａが乗り越し終了後、すなわちボールペンのキャップ１を軸筒８に完全に装着した状態で、弾性体７は、頭冠５の突起部５ａにより軸方向への移動を規制されているため圧縮変形し、ボールペンチップ９の先端部を密封して気密性を確保することができる。
【００１４】
キャップ本体２に、クリップ５を一体に形成し、挿入部４の軸心ｊ１が、クリップ５を含むキャップ１の横断面での外接円Ｒ１の略中心に位置しているため、挿入部４に弾性体６を挿入する工程において、クリップ５の位置を揃えることなく、挿入部４の軸心ｊ１が特定できるので、弾性体６の挿入性を高めることができるので、機械組に好適である。
【００１５】
図４から図６に示す、第２の実施の形態におけるボールペンのキャップ１１は、キャップ本体１２の先端部１２ａの内孔に、突部１３ａを有するリブ１３を４本形成して、リブ１３の内接空間からなる挿入部１４を形成してある。キャップ本体１２の先端部には、クリップ１５と突起部１７ａを有する頭冠部１７を装着してある。
【００１６】
キャップ本体１２の先端部１２ａに設けた、挿入部１４には、球形の弾性体１６を挿入してある。挿入部１４の内径Ｎは弾性体１６の径Ｍより大きく、突部１３ａの内径Ｌは弾性体１６の径Ｍより小さく設定してあるので、挿入された弾性体１６はリブ１３の突部１３ａと、頭冠１７の突起部１７ａによって抜け落ちすることなく挿入部１４内に回転自在に遊嵌して、ボールペンのキャップ１１を得ている。
【００１７】
また、第１の実施の形態と同様に、挿入部１４の軸心ｊ２は、キャップ本体１２の軸心Ｊ２に対して偏心した位置としてある。このことにより、挿入部１４に配設した弾性体１６は、ボールペンチップ１９の先端部が弾性体１６に当接した時に、弾性体１６の中央からずれた位置に当接するために、弾性体１６を確実に回転（図５の矢印Ｆ方向）することができる。
【００１８】
このように、ボールペンチップの先端部を弾性体により密封する時に、弾性体が回転することによって、ボールペンチップに付着していたインキが弾性体によって落ち、弾性体が汚れてしまっても、次回、以降のキャップの装着時に、汚れていない又は汚れの少ない新たな面が、ボールペンチップの先端部を密閉するため、チップ先端部を汚し難くすることができる。
【００１９】
また、キャップと軸筒を完全に装着した状態で、弾性体が圧縮変形し、ボールペンチップの先端部を密封することができれば、ボールペンチップの先端部と弾性体の接触時期は特に限定されないが、弾性体と接触してから、キャップと軸筒を完全に装着するまでの、距離が長い程、弾性体が回転する距離も長くすることができる。回転する距離が長い程、インキが付着していない面によって、ボールペンチップの先端部部を密閉することできるので好ましく、具体的には、３０度以上、好ましくは４５度以上回転することが望ましい。尚、繰り返しキャップを装着し、弾性体が３６０度回転しても、経時によって、弾性体に付着したインキは乾燥固化しているため、チップ先端部を汚し難い。
【００２０】
本実施の形態では、便宜上、ボールペンのキャップと軸筒の嵌合方法として突部と突起部の乗り越え嵌合を用いたが、凹凸嵌合、圧入嵌合等、一般的に知られているキャップと軸筒の嵌合方法を用いることができる。
【００２１】
本発明における弾性体は、弾性変形可能な天然ゴム、シリコーンゴム、ブチルゴム、フッ素ゴム、塩化ビニル樹脂、ブタジエンゴム、ウレタンゴム、ポリエチレン樹脂、その他合成ゴム等、一般的に知られている弾性体のなかから、チップ先端部の材質や構造、インキの成分等に応じて適宜選定すればよい。
【００２２】
また、本発明における弾性体の硬度は、特に限定されるものではないが、ＪＩＳ  Ａが６０より大きいと、変形し難く、密閉性が低下し、ＪＩＳ  Ａで２０より小さいと、ボールペンチップによって、弾性体が回転し難いので、ＪＩＳ  Ａで２０以上、６０以下とすることが好ましい。
【産業上の利用可能性】
【００２３】
本発明のボールペンのキャップは、油性ボールペン用インキ、水性ボールペン用インキ、剪断減粘性インキ等、インキの種類に限定されることなく広く実施可能である。
【図面の簡単な説明】
【００２４】
【図１】第１の実施の形態における、ボールペンのキャップを示す縦断面図である。
【図２】キャップを本体に装着した状態の、一部省略した拡大縦断面図である。
【図３】図１におけるＡ−Ａ拡大断面図である。
【図４】第２の実施の形態における、ボールペンのキャップを示す縦断面図である。
【図５】キャップを本体に装着した状態の、一部省略した拡大縦断面図である。
【図６】図４におけるＢ−Ｂ拡大断面図である。
【符号の説明】
【００２５】
１、１１  ボールペンのキャップ
２、１２  キャップ本体
２ａ、１２ａ  先端部
２ｂ、１２ｂ  嵌合凸部
３、１３  リブ
４、１４  挿入部
５、１５  クリップ
６、１６  弾性体
８、１８  軸筒
９、１９  ボールペンチップ
ｊ１、ｊ２  挿入部の軸心
Ｊ１、Ｊ２  キャップ本体の軸心
Ｒ１、Ｒ２  外接円
１７  頭冠
【図１】
2010125643.tif 000003
【図２】
2010125643.tif 000004
【図３】
2010125643.tif 000005
【図４】
2010125643.tif 000006
【図５】
2010125643.tif 000007
【図６】
2010125643.tif 000008